(57)【要約】      （修正有）【課題】仔牛を効果的に乾燥させることができる家畜用保育器を提供する。【解決手段】家畜ｃを載置可能な保育台１０と、保育台１０の上方の空間を家畜ｃと共に覆うケース１５と、ケース１５に固定されてケース１５内へ暖気を送り込むヒーター２０と、ヒーター２０内の温度に応じてヒーター２０を制御する温度制御装置３０と、ヒーター２０内で空気を送風する送風機４０とを具備した。【選択図】図２
0003213329.tif 000002
【実用新案登録請求の範囲】
【請求項１】
家畜を載置可能な保育台と、該保育台の上方の空間を家畜と共に覆うケースと、前記保育台に固定されて前記ケース内へ暖気を送り込むヒーターと、前記ケース内の温度に応じて前記ヒーターを制御する温度制御装置と、前記ケース内の空気を攪拌する送風機とを具備したことを特徴とするとする家畜用保育器。
【請求項２】
前記ケースの天面には、内部空間を上方へ突出させた凹部が設けられ、
前記送風機は、前記凹部内に配設されていることを特徴とする請求項１記載の家畜用保育器。
【請求項３】
前記ケースの側面に設けられてケース内部を透視可能にする窓板と、ケース内を照らす照明装置とを具備し、前記窓板は縦１１０ｍｍ×横２１０ｍｍ以上の大きさを有することを特徴とする請求項１又は２記載の家畜用保育器。
【考案の詳細な説明】
【技術分野】
【０００１】
本考案は、仔牛等の家畜の養育に用いられる家畜用保育器に関するものである。
【背景技術】
【０００２】
生まれたばかりの仔牛は、体毛が羊水により濡れており、冷えて呼吸や体の動きを確保し難く、冬季は特に低体温症などの事故が増えるため、生まれて数時間は仔牛用の保育器に入れ、事故を回避するケースが増えている。
従来、この種の保育器には、例えば特許文献１に記載されるものように、平面視矩形状のベース及び床板と、この床板上方側の空間を側面によって四方から囲む本体と、この本体の上方を覆う屋根とを具備したものがある。
この従来技術によれば、仔牛の上下及び四方を囲んで覆うことができ、また、冬場等寒い時期には、本体に設けられた窓から内部に暖気を入れることも可能である。
【先行技術文献】
【特許文献】
【０００３】
【特許文献１】実登３０４４７２６号公報
【考案の概要】
【考案が解決しようとする課題】
【０００４】
しかしながら、前記したように保育器内に暖気を送り込んだ場合、その暖気が本体内の上部側に溜まってしまい、本体内の温度が安定せず、仔牛の乾燥に時間がかかったり、仔牛を十分に乾燥できなかったりする場合がある。
また、従来の保育器では、保育器内の仔牛の乾き具合や体調等を観察し難く、改善が求められていた。
【課題を解決するための手段】
【０００５】
このような課題に鑑みて、本考案は、以下の構成を具備するものである。
家畜を載置可能な保育台と、該保育台の上方の空間を家畜と共に覆うケースと、前記保育台に固定されて前記ケース内へ暖気を送り込むヒーターと、前記ケース内の温度に応じて前記ヒーターを制御する温度制御装置と、前記ケース内の空気を攪拌する送風機とを具備したことを特徴とするとする家畜用保育器。
【考案の効果】
【０００６】
本考案は、以上説明したように構成されているので、仔牛等の家畜を効果的に乾燥させることができる。
【図面の簡単な説明】
【０００７】
【図１】本考案に係る家畜用保育器の一例を示す斜視図である。
【図２】同家畜用保育器を示す側面図であり、要部を切欠して内部構造を示している。
【考案を実施するための形態】
【０００８】
本実施の形態では、以下の特徴を開示している。
第１の特徴は、家畜を載置可能な保育台と、該保育台の上方の空間を家畜と共に覆うケースと、前記保育台に固定されて前記ケース内へ暖気を送り込むヒーターと、前記ケース内の温度に応じて前記ヒーターを制御する温度制御装置と、前記ケース内の空気を攪拌する送風機とを具備した（図１及び図２参照）。
【０００９】
第２の特徴は、前記ケースの天面には、内部空間を上方へ突出させた凹部が設けられ、
前記送風機は、前記凹部内に配設されている。
【００１０】
第３の特徴は、前記ケースの側面に設けられてケース内部を透視可能にする窓板と、ケース内を照らす照明装置とを具備し、前記窓板は縦１１０ｍｍ×横２１０ｍｍ以上の大きさを有する。
【００１１】
＜具体的実施態様＞
次に、上記特徴を有する具体的な実施態様について、図面に基づいて詳細に説明する。
図１は、本実施形態の家畜用保育器の一例を示す斜視図である。
この家畜用保育器１は、家畜ｃを載置可能な保育台１０と、該保育台１０の上方の空間を覆うケース１５と、保育台１０に固定されてケース１５内へ暖気を送り込むヒーター２０と、ケース１５内の温度に応じてヒーター２０を制御する温度制御装置３０と、前記ケース内の空気を攪拌する送風機４０と、ケース１５内を照らす照明装置５０とを具備している。
【００１２】
家畜ｃは、図示例によれば、牛である。通常、生まれたばかりの仔牛は、羊毛により体が濡れており、本実施形態の家畜用保育器１に載せられて、暖気に当てられるのが好ましい。
なお、家畜ｃの他例としては、馬や羊、豚等、牛以外の家畜としてもよく、さらには、犬や猫等のペットとすることも可能である。
【００１３】
保育台１０は、合成樹脂材料等の硬質材料によって下方側に底部を有するとともに上方を開口した略矩形箱状に形成される。
この保育台１０は、平面視上の面積が、下半部側よりも上半部側が広くなっており、前記下半部と前記上半部の間における内側面に段部１２ａを有する。この段部１２ａは、本体ケース１２の四方の内側面にそれぞれ設けられ、家畜載置面１３ａを有する家畜載置部材１３を支持している。
この保育台１０の下半部において、前方側（図２の左側）の壁部には、貫通孔１２ｂが設けられる。この貫通孔１２ｂは、後述するヒーター２０の暖気を通過させるための孔である。
保育台１０内の下側の空間は、ヒーター２０による暖気を家畜載置面１３ａの下側へ導いて通気孔１３ｂに通過させる暖気通路ａとして機能する。
この保育台１０の上方側は、ケース１５によって覆われている。
【００１４】
家畜載置部材１３は、平面視矩形板状の部材であり、本体ケース１２内の段部１２ａに載置される。
この家畜載置部材１３は、その全領域にわたって多数の通気孔１３ｂを有し、例えば、多数の鉄筋を格子状に溶接した網目状部材や、多数の通気孔１３ｂが穿孔された鉄板等により構成される。
この家畜載置部材１３の上面は、家畜ｃを載せるための家畜載置面１３ａとして機能する。
【００１５】
また、ケース１５は、下方を開口した矩形箱状に形成され、家畜ｃを収容可能な大きさに形成される。
このケース１５の側壁には、開口部１５ａが設けられ、この開口部１５ａは、ケース内部を透視可能にする窓板１６によって覆われている。
開口部１５ａ及び窓板１６は、内部の家畜ｃの状態を観察可能な程度の大きさに形成される。特に、窓板１６は、透明樹脂材料（例えば、アクリルやポリカーボネート等）によって形成され、比較的遠くからでも家畜ｃの状態を観察できるように、縦寸法が１１０ｍｍ以上、横寸法が２１０ｍｍ以上の長方形である。
また、ケース１５の天面には、内部空間を上方へ突出させた曲面状の凹部１５ｂが形成され、この凹部１５ｂの内面（図示例によれば凹曲面）には、後述する送風機４０が支持されている。
このケース１５は、保育台１０に対し上方へ着脱可能に装着される。
【００１６】
また、ヒーター２０は、定格１２００Ｗ程度の温風セラミックヒーターであり、その送風口を貫通孔１２ｂへ向けて、保育台１０の前壁面に止着固定される。
このヒーター２０の送風口と貫通孔１２ｂの間には、必要に応じて、角筒状のダクト１２ｃが設けられる。このダクト１２ｃは、前記送風口から送出される温風を、効率よく本体ケース１２内へ送り込む。
このヒーター２０の出力は、後述する温度制御装置３０によって制御される。
【００１７】
温度制御装置３０は、ケース１５内の温度を感知するセンサ部３１と、センサ部３１の感知温度に応じてヒーター２０の出力を調整する制御部３２とから構成される。
この温度制御装置３０は、例えば、バイメタル式のサーモスタットによって構成することが可能であり、ケース１５内の温度が予め設定された温度になるようにヒーター２０をオンオフ制御する。
この温度制御装置３０の他例としては、白金測温抵抗体や電子回路等からなる態様とすることも可能である。
【００１８】
送風機４０は、送風方向を自動的に変化させる首振り式送風機であり、ケース１５内天面の凹部１５ｂ内に配設されている。
この送風機４０は、図示例によれば、前後方向（図２によれば左右方向）へ首振りして、前後へ揺動するようにして送風方向を変化させる。
【００１９】
照明装置５０は、例えば、ＬＥＤライトであり、ケース１５内の家畜ｃを照らすように、ケース１５の内壁面（図示例によれば天壁面）に固定され、図示しないスイッチの操作によりオンオフされる。
【００２０】
次に、上記構成の家畜用保育器１及び畜舎２について、その特徴的な作用効果を詳細に説明する。
保育台１０の家畜載置面１３ａに家畜ｃが載せられ、上方からケース１５が被される。この状態で、ヒーター２０及び制御部３２、送風機４０等に電源が供給されると、センサ部３１によって感知される温度が、予め設定された温度になるように、ヒーター２０がオンオフ制御される。
ヒーター２０から送出される温風は、図２に示すように、本体ケース１２内の下半部側の暖気通路ａを通過し、さらに、家畜載置部材１３の通気孔１３ｂを通過して、家畜ｃに対し下方側から当たるようにしてケース１５内に侵入する。
そして、ケース１５内では、送風機４０の送風が、曲面状の凹部１５ｂに沿って家畜ｃの周囲に略均一に流れ、送風機４０の首振り運動により攪拌される。
このため、ケース１５内は、位置による温度差が少なく、略均一な温度に保持される。
よって、仔牛等の家畜ｃは、羊水により濡れている場合であっても、ケース１５内の暖気によって効果的に乾燥されてゆき、気道が確保され、体温の低下から免れる。
また、夜間等であっても、図示しないスイッチの操作により、照明装置５０を点灯させれば、大き目の透明な窓板１６を介して、ケース１５内を観察することができ、このため、家畜ｃの乾燥状態や体調等を容易に認識することができる。
【００２１】
なお、上記実施の形態において、ヒーター２０は保育台１０に対し不動に固定されるが、より好ましい態様としては、故障時に容易に交換できるように、ヒーター２０を保育台１０に対し着脱可能に固定してもよい。
【００２２】
また、上記実施の形態では、保育台１０が地面や床面等に載置されるようにしているが、他例としては、保育台１０の下部に車輪やキャスター等を設け、家畜用保育器１全体を転がして移動できるようにしてもよい。
【００２３】
本考案は上述した実施態様に限定されず、本考案の要旨を変更しない範囲で適宜変更可能である。
【符号の説明】
【００２４】
１：家畜用保育器
１０：保育台
１３：家畜載置部材
１３ａ：家畜載置面
１３ｂ：通気孔
１５：ケース
１６：窓板
２０：ヒーター
３０：温度制御装置
４０：送風機
５０：照明装置
ａ：暖気通路
ｃ：家畜
【図１】
0003213329.tif 000003
【図２】
0003213329.tif 000004